(57)【特許請求の範囲】
【請求項１】
ベース部（２）に回動自在に支持された鋏め部（４）を、駆動部（６）によって駆動して、受け部（７）に取り付けられた被鋏め部を鋏め加工する鋏め装置において、
前記鋏め部が、前記ベース部に支持部（８）によって回動自在に支持された第２リンク部材（３）と第１結合部（９）によって回動自在に支持されていると共に、前記駆動部と第３結合部（１１）によって回動自在に結合した第１リンク部材（５）を介して第２結合部（１０）によって回動自在に結合されており、
前記第２結合部（１０）、もしくは前記鋏め部又は前記第１リンク部材のいずれかの移動を規制する案内部を有し、
前記駆動部は前記第１リンク部材の下方に配置され、
前記駆動部により、前記第３結合部（１１）を引くと、前記案内部によって鋏め部が受け部の上方から外れた位置に移動し、
前記駆動部により、前記第３結合部を上昇させると、前記鋏め部が前記支持部（８）を中心に円弧動し、鋏め部が受け部の所定の位置に移動し、
前記駆動部により、前記駆動部と前記第３結合部（１１）を更に上昇させると、前記鋏め部が前記第１結合部（９）を中心に回動し、前記被鋏め部を鋏め加工することを特徴とする鋏め装置。
【請求項２】
前記案内部が溝カム（１２）であり、前記第２結合部（１０）、もしくは前記鋏め部又は前記第１リンク部材のいずれかに前記溝カムに案内されるカムローラが支持されていることを特徴とする請求項１に記載の鋏め装置。
【請求項３】
前記案内部の形状が、前記支持部（８）を中心とする円弧と、鋏め時における前記第１結合部（９）を中心とする円弧とからなることを特徴とする請求項１又は２に記載の鋏め装置。
【発明の詳細な説明】
【０００１】
【発明の属する技術分野】
本発明は、被鋏め物である２つの部材、例えば熱交換器のタンクとコアプレートと、の結合部に鋏め加工を行う際に、被鋏め物を鋏め装置の受け部に載置して鋏め加工を行う鋏め装置に関する。
【０００２】
【従来の技術】
従来の樹脂タンク熱交換器の鋏め装置は、図３に示されるように鋏め部２３が回動自在に支持部２７によってベース部２２に軸支され、その鋏め部２３の一端がリンク部材２４に第１結合部２８で回動自在に結合され、更にリンク部材２４が駆動部２５に第２結合部２９で回動自在に結合されている構造となっており、駆動部２５で鋏め部２３の前部の鋏め金具２３ａを移動させて、図４に拡大して示すように被鋏め部であるコアプレート３１を順次鋏めてタンク３２を熱交換器に結合するものである。
【０００３】
しかしながら、この従来の鋏め装置２１では、鋏め部２３の鋏め金具２３ａの形状から、被鋏め物の受け部２６の上に鋏め金具２３ａがあるため、受け部２６に熱交換器の被鋏め部を取り付けるのに、被鋏め部の水平移動と垂直移動とが必要であった。特に熱交換器の場合、タンク３２とコアプレート３１の結合部には、その間にゴムシール３３を挟むためコアプレート３１の形状が下に凸の形状をしている。そのため受け部２６と鋏め金具２３ａ間の寸法を、被鋏め部の寸法より大きく取る必要があり、鋏め装置２１の受け部２６より上方部分の寸法が大きくなるという問題があった。
【０００４】
【発明が解決しようとする課題】
本発明は、上記問題に鑑みてなされたもので、その目的は、鋏め装置の受け部に被鋏め部を取り付け易くするとともに、受け部よりも上方部分の寸法を小さくできる鋏め装置を提供することである。
【０００５】
【課題を解決するための手段】
本発明は、前記課題を解決するための手段として、特許請求の範囲の各請求項に記載の鋏め装置を提供する。
請求項１に記載の鋏め装置は、鋏め部４が、ベース部２に支持部８によって回動自在に支持された第２リンク部材３と第１結合部９によって回動自在に支持されていると共に、駆動部６と第３結合部１１によって回動自在に結合した第１リンク部材５を介して第２結合部１０によって回動自在に結合されており、第２結合部、もしくは鋏め部又は第１リンク部材のいずれかの移動を規制する案内部を有していて、第１リンク部材の下方に駆動部を配置して、この駆動部６によって、鋏め部が受け部の上方から外れた位置に移動し、次いで支持部を中心に円弧動して鋏め部が受け部の所定の位置に移動し、更に鋏め部が第１結合点を中心に回動し、被鋏め部を鋏め加工するようにしたものである。特に、第２リンク部材を設け、これを回動自在にベース部に支持し、鋏め部に結合したことで、鋏め部をこの支持点を中心とした回動、すなわち疑似的に水平の移動をさせることができる。このことにより、鋏め前には鋏め金具を受け部の上方から逸らすことができ、被鋏め部を上から降ろすことができるようになる。従って、被鋏め部、例えばコアプレート、の形状が下に凸の形状をしている場合でも、鋏め金具と受け部との寸法は、被鋏め部の寸法と略同等にできるようになる。
【０００６】
請求項２の鋏め装置は、案内部を溝カム１２とし、鋏め部と第１リンク部材との第２結合部１０、もしくは鋏め部又は第１リンク部材のいずれかにこの溝カムに案内されるカムローラが支持されるようにしたものである。これにより、カムローラが溝カムの案内部により鋏め部の移動を案内して、鋏め金具の動きを所定の動きとすることができる。
請求項３の鋏め装置は、案内部の形状が、第２リンク部材のベース部に支持された点である支持部８を中心とする円弧と、鋏め時における鋏め部と第２リンク部材の第１結合部９を中心とする円弧とからなるようにしたものであり、これにより、鋏め金具の動きがスムーズになり損失が少なくて、鋏め品質の良い鋏めができる。
【０００７】
【発明の実施の形態】
以下図面に従って本発明の実施の形態の鋏め装置について説明する。図１は、本発明の鋏め装置の全体構成図であり、図２は、溝カムの形状を説明する図である。本発明の鋏め装置１は、基本的にベースとなるベース部２と、被鋏め部の鋏めを行う鋏め部４と、ベース部２の一部で被鋏め部を受ける受け部７と、鋏め部４を鋏めのために移動させる駆動部６とより構成されている。
【０００８】
鋏め部４の前部は、鋏めを行う鋏め金具４ａとして形成されており、この鋏め部４の鋏め金具４ａに近い側の第１結合部９で、Ｌ字形状の第２リンク部材３と回動自在に結合されている。この第２リンク部材３は、第１結合部９とは反対の側の支持部８でベース部２に回動自在に支持されている。
鋏め部４の鋏め金具４ａと反対の側の第２結合部１０で、鋏め部４は第１リンク部材５の一端側と回動自在に結合している。第２リンク部材５の他端側は第３結合部１１で駆動部６と回動自在に結合している。
【０００９】
鋏め部４と第１リンク部材５との第２結合部１０は、図１に点線で示され、図２に拡大して示されるように、ベース部２に形成された案内部としての溝カム１２によって案内されるようになっている。この溝カム１２は、図２に示されるように、第２リンク部材３がベース部２に支持された支持部８を中心とする円弧より形成された第１溝カム１２ａと、鋏め時における鋏め部４と第２リンク部材３との第１結合部９を中心とする円弧より形成された第２溝カム１２ｂとから構成されている。第２結合部１０には、溝カム１２に案内されるカムローラ（図示せず）が支持されている。なお、第２結合部１０に代えて、溝カム１２に案内されるカムローラを鋏め部４又は第１リンク部材５に設けるようにしてもよい。
【００１０】
また、上記実施形態では、第２結合部１０をベース部２に形成された溝カム１２によって案内するようにしているが、ベース部２に案内部として凸条のカムを設け、第２結合部１０にカムローラを設けて凸条の両側をカムローラで挟むようにしてもよい。
【００１１】
次に上記のように構成された本発明の鋏め装置１の作動について説明する。
まず、駆動部６により第１リンク部材５を引くと、第１リンク部材５は図１の点線に示された位置に移動し、これに伴い鋏め部４も図１の点線の位置、すなわち鋏め装置１の受け部７の上方から外れた位置に移動する。この状態で、図４に示されるように、受け部７に例えば熱交換器のタンクとコアプレートを組み付けた被鋏め部をセットする。
【００１２】
次に、駆動部６を作動させ第１リンク部材５を上昇させると、第２結合部１０が溝カム１２の第１溝カム１２ａに案内されて、支持部８を中心に円弧動し、その結果第１結合部９も支持部８を中心に円弧動し、鋏め部４の鋏め金具４ａが受け部７の所定の位置にくる。さらに、駆動部６を作動させ第１リンク部材５を上昇させると、第２結合部１０はこんどは溝カム１２の第２溝カム１２ｂに案内されて、第１結合部９を中心に円弧動し、その結果第１結合部９の位置は固定されて、第１結合部９を中心に鋏め部４が回動し鋏め金具４ａで被鋏め部の鋏めを行う。
このように、本発明の鋏め装置１は、鋏め時に鋏め部４と第２リンク部材３との第１結合部９を固定して鋏めることにより被鋏め部を確実に鋏めることができる。
【００１３】
以上説明したように、本発明の鋏め装置においては、第２リンク部材を設けたことにより、受け部の上方での鋏め金具の邪魔物を退避させることができ、被鋏め部の受け部への取り付け、取り外しが容易になる。また、鋏め金具と受け部との寸法は、被鋏め部の寸法と略同等にできることから、受け部に被鋏め部を取り付け易くするとともに、鋏め装置の受け部より上方の寸法を小さくできる。
【図面の簡単な説明】
【図１】本発明の実施の形態の鋏め装置の全体構成図である。
【図２】溝カムの形状を説明する図である。
【図３】従来の鋏め装置の全体構成図である。
【図４】従来の鋏め装置の受け部に被鋏め物を取り付けた状態を示す部分拡大図である。
【符号の説明】
１…鋏め装置
２…ベース部
３…第２リンク部材
４…鋏め部
４ａ…鋏め金具
５…第１リンク部材
６…駆動部
７…受け部
８…支持部
９…第１結合部
１０…第２結合部
１１…第３結合部
１２…溝カム
１２ａ…第１溝カム
１２ｂ…第２溝カム
【図１】
0003855693.tif 000002
【図２】
0003855693.tif 000003
【図３】
0003855693.tif 000004
【図４】
0003855693.tif 000005